(57)【要約】【課題】ＬＥＤ照明部を有する異なる光学アダプタを着脱自在に装着でき、かつ最適な駆動条件で該ＬＥＤ照明部を駆動する。【解決手段】光学アダプタ５の白色ＬＥＤ部１０はｎ直列ｍ並列のマトリックス構成Ｄ（ｎＳ，ｍＰ）からなる複数のＬＥＤ素子と、白色ＬＥＤ部１０の種別を識別するための識別抵抗Ｒnmを有して構成される。内視鏡部４の操作部７内には、白色ＬＥＤ部１０を駆動するためのＬＥＤ駆動部３１が設けられ、該ＬＥＤ駆動部３１は、ＬＥＤ駆動回路３２及びＶＲ部３３とから構成される。【選択図】図２
2007130085.tif 000002
【特許請求の範囲】
【請求項１】
管腔に挿入可能な挿入部と、
ＬＥＤ発光素子からなる照明手段を有する前記挿入部の先端に着脱自在に装着される光学アダプタと、
前記照明手段により照明された被検体を撮像する撮像手段と、
前記照明手段を駆動する照明駆動手段と、
前記照明駆動手段の駆動条件を調整する駆動調整手段と
を備えたことを特徴とする電子内視鏡。
【請求項２】
前記照明手段は、複数のＬＥＤ発光素子からなる
ことを特徴とする請求項１に記載の電子内視鏡。
【請求項３】
前記照明駆動手段は、定電圧回路及び定電流回路より構成される。
ことを特徴とする請求項１または２に記載の電子内視鏡。
【請求項４】
前記駆動調整手段は、前記定電圧回路または前記定電流回路の少なくとも一方の出力値を前記駆動条件として調整する
ことを特徴とする請求項３に記載の電子内視鏡。
【請求項５】
前記照明駆動手段は、前記挿入部内に配置される
ことを特徴とする請求項１ないし４に記載の電子内視鏡。
【請求項６】
前記照明駆動手段は、前記挿入部に設けられた操作部内に配置される
ことを特徴とする請求項５に記載の電子内視鏡。
【請求項７】
前記照明駆動手段は、前記挿入部の先端部内に配置される
ことを特徴とする請求項５に記載の電子内視鏡。
【請求項８】
前記照明駆動手段は、
前記撮像手段からの撮像信号を信号処理する信号処理装置と接続可能で、前記挿入部の基端に設けられたコネクタ部内に配置される
ことを特徴とする請求項５に記載の電子内視鏡。
【請求項９】
前記照明駆動手段は、前記光学アダプタ内に配置される
ことを特徴とする請求項１ないし４に記載の電子内視鏡。
【請求項１０】
前記照明手段の前記ＬＥＤ発光素子の構成種別を識別する識別手段と、
前記識別手段の識別結果に基づき、前記駆動調整手段を制御する制御手段と
をさらに有することを特徴とする請求項１ないし９に記載の電子内視鏡。
【請求項１１】
管腔に挿入可能な挿入部の先端に着脱自在に装着可能に構成され、
ＬＥＤ発光素子からなる照明手段と、前記照明手段を駆動する照明駆動手段と、前記照明駆動手段の駆動条件を調整する駆動調整手段と
を備えたことを特徴とする光学アダプタ。
【請求項１２】
管腔に挿入可能な挿入部と、ＬＥＤ発光素子からなる照明手段を有する前記挿入部の先端に着脱自在に装着される光学アダプタと、前記照明手段により照明された被検体を撮像する撮像手段と、前記照明手段を駆動する照明駆動手段と、前記照明駆動手段の駆動条件を調整する駆動調整手段とを有する電子内視鏡と、
前記撮像手段からの撮像信号を信号処理して内視鏡画像を生成する信号処理手段と
を備えたことを特徴とする内視鏡装置。
【発明の詳細な説明】
【技術分野】
【０００１】
本発明は、少なくとも照明光源部をアダプタに備え、このアダプタを挿入部の先端部に装着して構成される電子内視鏡に関する。
【背景技術】
【０００２】
近年、体腔内に細長の挿入部を挿入することにより、体腔内臓器等を観察したり、必要に応じ処置具チャンネル内に挿通した処置具を用いて各種治療処置のできる内視鏡が広く利用されている。また、工業用分野においても、ボイラ、タービン、エンジン、化学プラント等の内部の傷、腐食等の観察、検査に工業用内視鏡が広く用いられている。
【０００３】
上述のように使用される内視鏡には挿入部の先端部に光学像を画像信号に光電変換するＣＣＤなどの撮像素子を配設した電子内視鏡（以下内視鏡と略記する）がある。この内視鏡では、前記撮像素子に結像した観察像の画像信号を外部装置であるカメラコントロールユニット（以下ＣＣＵと略記する）の信号処理部に伝達して映像信号を生成し、モニタ画面上に内視鏡画像を表示させて観察を行う構成になっている。
【０００４】
近年、工業用の内視鏡では、観察対象となる配管等の径寸法が太いものから細いものまで様々あるので、径寸法の違いや検査目的に対応させるため内視鏡先端部に交換可能に取り付ける光学アダプタを種々用意して様々な検査に対応するようにしている。
【０００５】
例えば特開２００１−６１７７７号公報では、撮像素子及び照明用ＬＥＤを備えた撮像アダプタが先端部に着脱自在な挿入部の基端部に撮像素子から出力された映像信号を表示手段に出力するための映像出力端子部及び照明用ＬＥＤに供給する電流値を制限するための電流制限回路を備えた操作部を有する電子内視鏡が提案されている。
【０００６】
ここで、従来の工業用の内視鏡を有する内視鏡装置の一例を図１２を用いて説明する。
【０００７】
図１２に示すように、従来の工業用の内視鏡装置１００は、細長で可撓性を有する挿入部を備え、先端内に撮像素子としてＣＣＤ１０６を設けた内視鏡１０１と、該内視鏡１０１の先端に着脱自在に設けられる照明部として白色ＬＥＤ部１０４を内蔵した光学アダプタ１０２と、白色ＬＥＤ部１０４を駆動し、またＣＣＤ１０６からの出力信号を信号処理して映像信号を生成し、モニタ１１０に内視鏡画像を表示させる装置本体部１０３とから構成されている。
【０００８】
光学アダプタ１０２は、上記白色ＬＥＤ部１０４の他に、白色ＬＥＤ部１０４からの照明光が照射された被写体の像をＣＣＤ１０６の撮像面に結像させる対物光学系１０５及び光学アダプタ１０２の種別を識別するための識別抵抗Ｒ１を有している。
【０００９】
また、装置本体部１０３は、ＣＣＤ１０６を駆動するＣＣＤドライバ１０９、ＣＣＤ１０６からの出力信号を信号処理しモニタ１１０にビデオ信号を出力する映像信号処理回路１１１、白色ＬＥＤ部１０４を駆動するＬＥＤ駆動回路１１５等を備えている。
【００１０】
装置本体部１０３では、識別抵抗Ｒ１をＩＤ検知部１１２で検知し、該検知信号によりＣＰＵ１１３が光学アダプタ１０２の種別、すなわち、白色ＬＥＤ部１０４の種別を識別するようになっている。なお、白色ＬＥＤ部１０４は、後述するように光学アダプタ１０２毎に異なる構成とすることが可能である。
【００１１】
そして、ＣＰＵ１１３は、ＲＯＭ１１４に予め格納されているプログラムに従って、ＣＣＤドライバ１０９、映像信号処理回路１１１、ＬＥＤ駆動回路１１５等の装置内部の各回路を制御する。
【００１２】
また、装置本体部１０３は、バッテリ１０７により電力が供給され、電源部１０８により装置内に回路電圧Ｖｄｄの電力が生成されることで、装置本体部１０３は可搬な装置として構成されている。
【００１３】
なお、装置本体部１０３では、ＣＰＵ１１３がメモリカード１１６及びパーソナルコンピュータ（ＰＣ）１１７に内視鏡画像等のデータを送信することで、メモリカード１１６及びＰＣ１１７にこれらデータを保存することができる。
【００１４】
なお、上記特開２００１−６１７７７号公報の内視鏡では、図１２の構成を引用すると、光学アダプタ１０２内に白色ＬＥＤ部１０４及びＣＣＤ１０６を設け、内視鏡の挿入部の基端に設けられた操作部内にＣＣＤドライバ１０９、ＬＥＤ駆動回路１１５を設けた構成となっている。
【００１５】
光学アダプタ１０２に設けられる白色ＬＥＤ部１０４は、図１２の構成には限らず、図１３ないし図１６のような構成とすることが可能である。そして、識別抵抗の抵抗値を該構成に応じて異なる値とすることで、光学アダプタ１０２の種別、すなわち白色ＬＥＤ部１０４の種別をＣＰＵ１１３が識別する。
【００１６】
ここで、白色ＬＥＤ部１０４の種別について説明する。光学アダプタ１０２に設けられる白色ＬＥＤ部１０４は、照明に必要な光量を得るために、図１７に示すようにｎ直列ｍ並列された白色ＬＥＤ素子によりマトリックス構成される。このマトリックス構成を例えばＤ（ｎＳ，ｍＰ）として表すと、
図１２の構成の白色ＬＥＤ部１０４はマトリックス構成がＤ（１Ｓ，１Ｐ）で１つのＬＥＤ照明となり、
図１３の構成の白色ＬＥＤ部１０４はマトリックス構成がＤ（１Ｓ，２Ｐ）で２つのＬＥＤ照明となり、
図１４の構成の白色ＬＥＤ部１０４はマトリックス構成がＤ（２Ｓ，２Ｐ）で４つのＬＥＤ照明となり、
図１５の構成の白色ＬＥＤ部１０４はマトリックス構成がＤ（２Ｓ，３Ｐ）で６つのＬＥＤ照明となり、
図１６の構成の白色ＬＥＤ部１０４はマトリックス構成がＤ（３Ｓ，２Ｐ）で６つのＬＥＤ照明となる。
【特許文献１】特開２００１−６１７７７号公報
【発明の開示】
【発明が解決しようとする課題】
【００１７】
白色ＬＥＤ部１０４に流す駆動電流は白色ＬＥＤ素子の直列並列により設定され、電圧は白色ＬＥＤ素子の直列数により設定される。例えば、１つの白色ＬＥＤ素子の発光電圧がＶFならば、Ｄ（ｎＳ，ｍＰ）の白色ＬＥＤ部１０４には少なくともｎ×ＶFの電圧ＶHを印加する必要が有る。
【００１８】
しかしながら、図１２の構成の従来の内視鏡装置１００では、ＬＥＤ駆動回路１１５が装置本体部１０３に設けられているため、異なる構成の白色ＬＥＤ部１０４を有する光学アダプタ１０２を内視鏡１０１を使用しようとする場合、白色ＬＥＤ部１０４に印加する出力電圧ＶHを最適化するために、装置本体部１０３内部のＬＥＤ駆動回路１１５を調整しなければならないが、ＬＥＤ駆動回路１１５の出力電圧ＶHは製造時に調整するために、一般ユーザに該調整は開放されておらず、調整することがユーザサイドで行うことができないといった問題がある。
【００１９】
また。特開２００１−６１７７７号公報の内視鏡では、ＬＥＤ駆動回路１１５は固定の電圧で駆動されるため、同様に出力電圧ＶHの調整ができず、異なる構成の白色ＬＥＤ部１０４を有する光学アダプタ１０２を使用することができない。
【００２０】
また、図１８に示すように、近年の半導体技術の進歩により、駆動電流に対するＬＥＤの発光光量（光束）の効率が改善されており（図１８における、ＮｅｗＬＥＤ対ＯｌｄＬＥＤ）、駆動電流も調整する必要があるが、出力電圧ＶHの調整と同様な問題を有することになる。
【００２１】
本発明は、上述した点に鑑みてなされたもので、異なる構成のＬＥＤ照明部を有する異なる光学アダプタを着脱自在に装着でき、かつ最適な駆動条件で該ＬＥＤ照明部を駆動することのできる電子内視鏡を提供することを目的としている。
【課題を解決するための手段】
【００２２】
本発明の電子内視鏡は、
管腔に挿入可能な挿入部と、
ＬＥＤ発光素子からなる照明手段を有する前記挿入部の先端に着脱自在に装着される光学アダプタと、
前記照明手段により照明された被検体を撮像する撮像手段と、
前記照明手段を駆動する照明駆動手段と、
前記照明駆動手段の駆動条件を調整する駆動調整手段と
を備えて構成される。
【発明の効果】
【００２３】
本発明によれば、ＬＥＤ照明部を有する異なる光学アダプタを着脱自在に装着でき、かつ最適な駆動条件で該ＬＥＤ照明部を駆動することができるという効果がある。
【発明を実施するための最良の形態】
【００２４】
以下、図面を参照しながら本発明の実施例について述べる。
【実施例１】
【００２５】
図１ないし図４は本発明の実施例１に係わり、図１は内視鏡装置の外観を示す外観図、図２は図１の内視鏡装置の構成を示すブロック図、図３は図２のＬＥＤ駆動部の構成を示す図、図４は図２の内視鏡装置の変形例の構成を示すブロック図である。
【００２６】
図１及び図２に示すように、本実施例の内視鏡装置１は、細長で可撓性を有し先端側に湾曲可能な湾曲部を備えた挿入部６及び挿入部６の先端部９内に撮像手段としてのＣＣＤ１２を設けた内視鏡部４と、該内視鏡部４の先端部９に着脱自在に電気的に接続され設けられる照明手段としての白色ＬＥＤ部１０を内蔵した光学アダプタ５と、白色ＬＥＤ部１０を駆動し、またＣＣＤ１２からの出力信号を信号処理して映像信号を生成し、モニタ部１３に内視鏡画像を表示させる装置本体部３とから構成されている。そして、内視鏡部４及び光学アダプタ５とから内視鏡ユニット２が構成される。なお、ＣＣＤ１２は、光学アダプタ５内に設けても良い。
【００２７】
また、挿入部６には操作部７が設けられ、操作部７の湾曲操作ノブ７ａを操作することで、挿入部６の湾曲部を湾曲させることができる。
【００２８】
光学アダプタ５は、上記白色ＬＥＤ部１０の他に、白色ＬＥＤ部１０からの照明光が照射された被写体の像をＣＣＤ１２の撮像面に結像させる対物光学系１１を有している。
【００２９】
内視鏡部４の基端部にはスコープコネクタ８が設けられており、着脱自在に装置本体部３と電気的に接続される。
【００３０】
なお、装置本体部３は、カードスロット１４を介して着脱自在にメモリカード１５が接続可能であり、またケーブル１６を介して装置本体部３とパーソナルコンピュータ（ＰＣ）１７とが接続できるようになっている。
【００３１】
図２に示すように、光学アダプタ５の白色ＬＥＤ部１０はｎ直列ｍ並列のマトリックス構成Ｄ（ｎＳ，ｍＰ）からなる複数のＬＥＤ素子と、白色ＬＥＤ部１０の種別を識別するための識別抵抗Ｒnmを有して構成される。
【００３２】
また、内視鏡部４の操作部７内には、白色ＬＥＤ部１０を駆動するためのＬＥＤ駆動部３１が設けられ、該ＬＥＤ駆動部３１は、照明駆動手段としてのＬＥＤ駆動回路３２及び駆動調整手段としてのボリューム部（以下、ＶＲ部と略記）３３とから構成される。ＬＥＤ駆動回路３２及びＶＲ部３３の詳細は後述する。
【００３３】
内視鏡部４のＣＣＤ１２は、バッファ２４を介して装置本体部３のＣＣＤドライバ２３からのＣＣＤ駆動信号により駆動される。また、ＣＣＤ１２の出力信号は、バッファ２５を介して装置本体部３のプリアンプ２６に出力される。
【００３４】
また、装置本体部３は、プリアンプ２６で増幅されたＣＣＤ１２の出力信号を信号処理しモニタ１３にビデオ信号を出力する映像信号処理回路２７を備えている。
【００３５】
装置本体部３では、白色ＬＥＤ部１０の識別抵抗ＲnmをＩＤ検知部２８で検知し、該検知信号によりＣＰＵ３０が白色ＬＥＤ部１０の種別を識別するようになっている。
【００３６】
そして、ＣＰＵ３０は、ＲＯＭ２９に予め格納されているプログラムに従って、ＣＣＤドライバ２３、映像信号処理回路２７等の装置内部の各回路を制御する。
【００３７】
また、装置本体部３は、バッテリ２１により電力が供給され、電源部２２により装置内に回路電圧Ｖｄｄの電力が生成されることで、装置本体部３は可搬な装置として構成されている。
【００３８】
なお、装置本体部３では、ＣＰＵ３０がメモリカード１５及びＰＣ１７に内視鏡画像等のデータを送信することで、メモリカード１５及びＰＣ１７にこれらデータを保存することができる。
【００３９】
装置本体部３の回路電圧Ｖｄｄは、内視鏡部４のＬＥＤ駆動回路３２にも出力されている。
【００４０】
図３に示すように、ＬＥＤ駆動回路３２は、回路電圧ＶｄｄをスイッチングしてＬＥＤ駆動電圧ＶHを生成する、例えば降圧型のスイッチング回路４１と、ＬＥＤ駆動電圧ＶHを入力電圧としてＬＥＤ駆動電流ＩDを生成する定電流回路４２とから構成される。ＶＲ部３３は、ＬＥＤ駆動電圧ＶHを調整する電圧調整可変抵抗３３ｖと、ＬＥＤ駆動電流ＩDを調整する電流調整可変抵抗３３ｉとから構成され、駆動電圧ＶHはＶH≧ｎ×ＶF（ＶF：白色ＬＥＤ素子の発光電圧）となるように調整されている。スイッチング回路４１は昇圧型の回路で構成しても良い。
【００４１】
ＴＲ１はスイッチング用のトランジスタで、ＦＥＴ，ＲＲ１，ＤＺは定電流源であり、ＯＰ１の（−）入力に基準電圧を与えている。ＦＤは、スイッチングＯＦＦ時にエネルギをＬ，Ｃに与えるフライホイールダイオードである。Ｌ、Ｃにより平滑されたＶHはＲＲ２と電圧調整可変抵抗３３ｖにより電圧分割され、ＯＰ１（＋）に入力される。
【００４２】
ＯＰ１は、（−）入力の基準電圧と（＋）入力のＶHの分割電圧とを比較し、ＯＰ１の出力からエラー電圧をＴＲ１のベースに供給する。エラー電圧の変動は、ＶHを一定電圧に保つように、フィードバック制御される。
【００４３】
ＯＰ２，ＤＳ，ＴＲ２は電圧／電流変換回路として働き、ＯＰ２（＋）に入力される定電位を、ＲＲ４に流し込む電流値に変換する働きをする。
【００４４】
このように本実施例では、光学アダプタ５の白色ＬＥＤ部１０を駆動するＬＥＤ駆動回路３２及びＶＲ部３３からなるＬＥＤ駆動部３１を内視鏡部４の操作部７内に設け、ＬＥＤ駆動部３１のＶＲ部３３でＬＥＤ駆動電圧ＶH及びＬＥＤ駆動電流ＩDを白色ＬＥＤ部１０に対応させて調整することができる。
【００４５】
したがって、内視鏡部４及び光学アダプタ５とからなる内視鏡ユニット２を、検査状況に応じて交換しても装置本体部３を無調整で、白色ＬＥＤ部１０を最適な駆動条件で発光させることができる。
【００４６】
また、装置本体部３にＬＥＤ駆動部３１を設けていないために、装置本体部３の構成を簡略化できるだけでなく、異なる構成の白色ＬＥＤ部１０を有する内視鏡ユニット２を単に接続することで検査が可能となり、内視鏡ユニット２に対して装置本体部３を汎用的に使用することができる。
【００４７】
なお、本実施例ではＬＥＤ駆動部３１を内視鏡部４の操作部７内に設けるとしたが、これに限らず、図４に示すように、ＬＥＤ駆動部３１を内視鏡部４の先端部９内に設けても、同様な作用・効果を得ることができる。また、図示はしないが、ＬＥＤ駆動部３１をスコープコネクタ８内に設けてよい。
【実施例２】
【００４８】
図５は本発明の実施例２に係る内視鏡装置の構成を示すブロック図である。
【００４９】
実施例２は、実施例１とほとんど同じであるので、異なる点のみ説明し、同一の構成には同じ符号をつけ説明は省略する。
【００５０】
図５に示すように、本実施例では、ＬＥＤ駆動部３１を光学アダプタ５内に設けた構成となっている。その他の構成・作用は実施例１と同じである。
【００５１】
このように本実施例では、実施例１の効果に加え、実施例１が内視鏡ユニット２に対しての装置本体部３の汎用性を高めたが、本実施例では光学アダプタ５単体で照明光学系の構成が完結しているために、内視鏡部４及び装置本体部３の汎用性を高めることが可能となる。
【実施例３】
【００５２】
図６及び図７は本発明の実施例３に係わり、図６は内視鏡装置の構成を示すブロック図、図７は図６のＬＥＤ駆動部の構成を示す図である。
【００５３】
実施例３は、実施例１とほとんど同じであるので、異なる点のみ説明し、同一の構成には同じ符号をつけ説明は省略する。
【００５４】
図６に示すように、ＬＥＤ駆動部３１がＬＥＤ駆動回路３２及びデジタルポテンション部（以下、ＤＶＲ部と略記）５０とから構成される。
【００５５】
図７に示すように、ＤＶＲ部５０は、デジタル的に抵抗値が調整可能なＬＥＤ駆動電圧ＶH調整用のデジタルポテンション５０ｖ及びＬＥＤ駆動電流ＩD調整用のデジタルポテンション５０ｉと、２つの書き換え可能なＥ2ＰＲＯＭ５１、５２とから構成される。
【００５６】
そして、ＣＰＵ３０からのシリアル信号によりＥ2ＰＲＯＭ５１、５２の数値が書き換えられ、Ｅ2ＰＲＯＭ５１、５２の書き込みデータに基づきデジタルポテンション５０ｖ、５０ｉの抵抗値が調整され、ＬＥＤ駆動回路３２におけるＬＥＤ駆動電圧ＶH及びＬＥＤ駆動電流ＩDを調整する。なお、Ｅ2ＰＲＯＭ５１、５２は、１つのメモリにして、デジタルポテンション５０ｖ用のデータとデジタルポテンション５０ｉ用のデータを１つのメモリに持たせるようにしても良い。
【００５７】
なお、ＣＰＵ３０はＩＤ検知部２８が検知した識別抵抗Ｒnmにより白色ＬＥＤ部１０の種別を識別して、白色ＬＥＤ部１０のＬＥＤ駆動電圧ＶH及びＬＥＤ駆動電流ＩDを最適な値に調整する調整信号をシリアル信号としてＤＶＲ部５０に出力する。
【００５８】
このように本実施例では、実施例１の効果に加え、調整信号をシリアル信号としてＬＥＤ駆動部３１のＤＶＲ部５０に出力し、このシリアル信号により自動的に白色ＬＥＤ部１０のＬＥＤ駆動電圧ＶH及びＬＥＤ駆動電流ＩDを最適な値に調整することができる。
【実施例４】
【００５９】
図８及び図９は本発明の実施例４に係わり、図８は内視鏡装置の構成を示すブロック図、図９は図８のＬＥＤ駆動部の構成を示す図である。
【００６０】
実施例４は、実施例３とほとんど同じであるので、異なる点のみ説明し、同一の構成には同じ符号をつけ説明は省略する。
【００６１】
図８に示すように、ＬＥＤ駆動部３１がＬＥＤ駆動回路３２、ＤＶＲ部５０及びＣＰＵ６０とから構成される。
【００６２】
図９に示すように、実施例３と同様に、ＤＶＲ部５０は、デジタル的に抵抗値が調整可能なＬＥＤ駆動電圧ＶH調整用のデジタルポテンション５０ｖ及びＬＥＤ駆動電流ＩD調整用のデジタルポテンション５０ｉと、２つの書き換え可能なＥ2ＰＲＯＭ５１、５２とから構成される。なお、Ｅ2ＰＲＯＭ５１、５２は、１つのメモリにして、デジタルポテンション５０ｖ用のデータとデジタルポテンション５０ｉ用のデータを１つのメモリに持たせるようにしても良い。
【００６３】
そして、ＣＰＵ６０からのシリアル信号によりＥ2ＰＲＯＭ５１、５２の数値が書き換えられ、Ｅ2ＰＲＯＭ５１、５２の書き込みデータに基づきデジタルポテンション５０ｖ、５０ｉの抵抗値が調整され、ＬＥＤ駆動回路３２におけるＬＥＤ駆動電圧ＶH及びＬＥＤ駆動電流ＩDを調整する。
【００６４】
なお、ＣＰＵ６０は識別抵抗Ｒnmにより白色ＬＥＤ部１０の種別を識別して、白色ＬＥＤ部１０のＬＥＤ駆動電圧ＶH及びＬＥＤ駆動電流ＩDを最適な値に調整する調整信号をシリアル信号としてＥ2ＰＲＯＭ５１、５２に出力する。
【００６５】
このように本実施例でも実施例３と同様な効果を得ることができる。
【実施例５】
【００６６】
図１０及び図１１は本発明の実施例５に係わり、図１０は内視鏡装置の外観を示す外観図、図１１は図１０の微調整つまみの配置構成を示す図である。
【００６７】
実施例５は、実施例１とほとんど同じであるので、異なる点のみ説明し、同一の構成には同じ符号をつけ説明は省略する。
【００６８】
図１０に示すように、内視鏡部４の操作部７に白色ＬＥＤ部１０の発光光量を微調整し照明光の明るさを微調整する明るさ微調整つまみ７ｂが設けられている。この微調整つまみ７ｂは、図１１に示すように、例えばＬＥＤ駆動電圧ＶHの値をマニュアル的に微調整するように電圧調整可変抵抗３３ｖに直列に接続されている。その他の構成は実施例１と同じである。また、微調整つまみ７ｂは、ＬＥＤ駆動電流ＩDの値を直接マニュアル的に微調整できるように、図１１の破線で示すように、電流調整可変抵抗３３ｉに直列接続しても良い。
【００６９】
このように本実施例では、実施例１の効果に加え、照明光の明るさをマニュアル的に微調整することができる。
【００７０】
本発明は、上述した実施例に限定されるものではなく、本発明の要旨を変えない範囲において、種々の変更、改変等が可能である。
【図面の簡単な説明】
【００７１】
【図１】本発明の実施例１に係る内視鏡装置の外観を示す外観図
【図２】図１の内視鏡装置の構成を示すブロック図
【図３】図２のＬＥＤ駆動部の構成を示す図
【図４】図２の内視鏡装置の変形例の構成を示すブロック図
【図５】本発明の実施例２に係る内視鏡装置の構成を示すブロック図
【図６】本発明の実施例３に係る内視鏡装置の構成を示すブロック図
【図７】図６のＬＥＤ駆動部の構成を示す図
【図８】本発明の実施例４に係る内視鏡装置の構成を示すブロック図
【図９】図８のＬＥＤ駆動部の構成を示す図
【図１０】本発明の実施例５に係る内視鏡装置の外観を示す外観図
【図１１】図１０の微調整つまみの配置構成を示す図
【図１２】従来の内視鏡装置の構成を示すブロック図
【図１３】図１２の白色ＬＥＤ部の第１の変形例を示す図
【図１４】図１２の白色ＬＥＤ部の第２の変形例を示す図
【図１５】図１２の白色ＬＥＤ部の第３の変形例を示す図
【図１６】図１２の白色ＬＥＤ部の第４の変形例を示す図
【図１７】図１２の白色ＬＥＤ部の変形例を一般形式で示した図
【図１８】ＬＥＤの発光特性の変遷を説明する図
【符号の説明】
【００７２】
１…内視鏡装置
２…内視鏡ユニット
３…装置本体部
４…内視鏡部
５…光学アダプタ
６…挿入部
７…操作部
８…スコープコネクタ
９…先端部
１０…白色ＬＥＤ部
１１…対物光学系
１２…ＣＣＤ
２１…バッテリ
２２…電源部
２３…ＣＣＤドライバ
２７…映像信号処理回路
２８…ＩＤ検知部
２９…ＲＯＭ
３０…ＣＰＵ
４１…スイッチング回路
４２…定電流回路
【図１】
2007130085.tif 000003
【図２】
2007130085.tif 000004
【図３】
2007130085.tif 000005
【図４】
2007130085.tif 000006
【図５】
2007130085.tif 000007
【図６】
2007130085.tif 000008
【図７】
2007130085.tif 000009
【図８】
2007130085.tif 000010
【図９】
2007130085.tif 000011
【図１０】
2007130085.tif 000012
【図１１】
2007130085.tif 000013
【図１２】
2007130085.tif 000014
【図１３】
2007130085.tif 000015
【図１４】
2007130085.tif 000016
【図１５】
2007130085.tif 000017
【図１６】
2007130085.tif 000018
【図１７】
2007130085.tif 000019
【図１８】
2007130085.tif 000020